(57)【要約】【課題】不正な向きで挿入されたときの端子金具の変形を回避する。【解決手段】端子金具３０が正規の向きで挿入されたときには、位置決め部４３が端子挿入口２３の内周に当接することにより、角筒部３１が規制部２５と非干渉の位置に位置決めされる。端子金具３０が反転した不正な向きで挿入される過程では、位置決め部４３が端子挿入口２３の内周に当接することにより、角筒部３１が干渉位置に位置決めされ、角筒部３１を構成する角縁部４１の前端が規制部２５に突き当たる。規制部２５に突き当たる角縁部４１は、角筒部３１を構成するものであって、角筒部３１から片持ち状に突出するものに比べて強度が高いので、規制部２５と干渉しても変形や破損を来すおそれはない。【選択図】図４
2008293722.tif 000002
【特許請求の範囲】
【請求項１】
前端部に角筒部を有する端子金具と、
前記端子金具を後方から挿入するための端子挿入孔を有するハウジングとを備え、
前記端子挿入孔の方形断面の後端部には、その内周の４つの角隅部のうちいずれか１つの角隅部において内側へ張り出す規制部が形成され、
前記角筒部には、その角筒部を構成する４つの壁部のうちいずれか１つの壁部の外面から突出した形態の位置決め部が形成され、
前記端子金具が前記ハウジングに対して正規の向きで挿入されたときには、前記位置決め部が前記端子挿入孔の後端部の内周に当接することにより、前記角筒部が前記規制部と非干渉の位置に位置決めされ、
前記端子金具が前記ハウジングに対して反転した不正な向きで挿入されようとしたときには、前記位置決め部が前記端子挿入孔の後端部の内周に当接することにより、前記角筒部が、その角筒部を構成する角縁部の前端を前記規制部に突き当てる干渉位置に位置決めされるようになっていることを特徴とするコネクタ。
【請求項２】
前記角筒部は、金属板材を略直角に曲げ加工することにより、前記４つの壁部を３つの曲げ部で連結した形態とされており、
前記３つの曲げ部のうちいずれかの曲げ部が、前記規制部との干渉対象である前記角縁部とされていることを特徴とする請求項１に記載のコネクタ。
【発明の詳細な説明】
【技術分野】
【０００１】
本発明は、コネクタに関するものである。
【背景技術】
【０００２】
特許文献１には、キャビティ（端子挿入孔）内に端子金具が反転姿勢で挿入されることを防止する手段を備えたコネクタについて開示されている。このコネクタでは、端子金具の前端部を構成する角筒部の上面に板状の当接片を重ね合わせており、この当接片は、角筒部よりも幅狭で、角筒部の上面における左右いずれか一方に偏った位置であって角筒部の前端よりも後方の位置に配置されている。そして、キャビティの入口の開口形状は、全体として方形をなし、開口縁の上縁に当接片と対応する凹部を形成した形状としている。  
かかる構成としたことにより、端子金具が正しい姿勢でキャビティに挿入されるときには、当接片が凹部に嵌合することによって挿入動作が許容されるが、端子金具が上下反転した不正な姿勢で挿入されようとしたときには、角筒部の前端がキャビティ内に挿入された後、当接片がキャビティの入口の開口縁に突き当たるようにしている。
【特許文献１】特表２００４−５０７０３６公報
【発明の開示】
【発明が解決しようとする課題】
【０００３】
上記従来のコネクタでは、端子金具が不正な姿勢で挿入されたときに当接片が干渉するようになっているが、この当接片は、角筒部を構成する板部を片持ち状に延長させた形態であるため、比較的強度が低い。そのため、キャビティの入口の開口縁に突き当たったときに、当接片が変形することが懸念される。  
本発明は上記のような事情に基づいて完成されたものであって、不正な向きで挿入されたときの端子金具の変形を回避することを目的とする。
【課題を解決するための手段】
【０００４】
上記の目的を達成するための手段として、請求項１の発明は、前端部に角筒部を有する端子金具と、前記端子金具を後方から挿入するための端子挿入孔を有するハウジングとを備え、前記端子挿入孔の方形断面の後端部には、その内周の４つの角隅部のうちいずれか１つの角隅部において内側へ張り出す規制部が形成され、前記角筒部には、その角筒部を構成する４つの壁部のうちいずれか１つの壁部の外面から突出した形態の位置決め部が形成され、前記端子金具が前記ハウジングに対して正規の向きで挿入されたときには、前記位置決め部が前記端子挿入孔の後端部の内周に当接することにより、前記角筒部が前記規制部と非干渉の位置に位置決めされ、前記端子金具が前記ハウジングに対して反転した不正な向きで挿入されようとしたときには、前記位置決め部が前記端子挿入孔の後端部の内周に当接することにより、前記角筒部が、その角筒部を構成する角縁部の前端を前記規制部に突き当てる干渉位置に位置決めされるようになっているところに特徴を有する。
【０００５】
請求項２の発明は、請求項１に記載のものにおいて、前記角筒部は、金属板材を略直角に曲げ加工することにより、前記４つの壁部を３つの曲げ部で連結した形態とされており、前記３つの曲げ部のうちいずれかの曲げ部が、前記規制部との干渉対象である前記角縁部とされているところに特徴を有する。
【発明の効果】
【０００６】
＜請求項１の発明＞
規制部に突き当たる角縁部は、角筒部を構成するものなので、角筒部から片持ち状に突出するものに比べて強度が高い。したがって、角縁部は、規制部と干渉しても、変形や破損を来すおそれはない。
【０００７】
＜請求項２の発明＞
規制部と干渉する角縁部は、２つの壁部を直角に連結している曲げ部によって構成されているので、金属板材の端縁部を規制部に干渉させる形態のものに比べると、角縁部の強度が高く、角縁部の変形がより確実に防止される。
【発明を実施するための最良の形態】
【０００８】
＜実施形態１＞
以下、本発明を具体化した実施形態１を図１ないし図４を参照して説明する。本実施形態のコネクタは、ハウジング１０と、端子金具３０とから構成されている。ハウジング１０は、合成樹脂製のハウジング本体１１と、同じく合成樹脂製のリヤホルダ２０と、一括ゴム栓１４とを備えて構成される。ハウジング本体１１の内部には、前後方向に細長い複数室（本実施形態では６室）の端子収容部１２が左右に並んで形成されている。ハウジング本体１１の後端部には後方へ延出した形態の筒状収容部１３が形成され、この筒状収容部１３内には一括ゴム栓１４が収容されている。一括ゴム栓１４は、各端子収容部１２と対応する複数の貫通孔１５が前後に貫通して形成されており、各貫通孔１５の内周には周方向のリップ部が形成されている。
【０００９】
ハウジング本体１１の後端部には、一括ゴム栓１４がハウジング本体１１から離脱するのを規制するためのリヤホルダ２０が組み付けられている。リヤホルダ２０は、背面壁２１と、背面壁２１の外周縁から前方へ延出する筒状係止部２２とを一体形成したものであり、背面壁２１には、各端子収容部１２及び貫通孔１５と対応する複数の端子挿入口２３が前後に貫通して形成されている。リヤホルダ２０は、その筒状係止部２２をハウジング本体１１の後端部に外嵌することによって組み付けられ、ハウジング本体１１に一括ゴム栓１４とリヤホルダ２０が組み付けられることによってハウジング１０が構成されるとともに、端子収容部１２と貫通孔１５と端子挿入口２３とによって、端子金具３０を収容するための端子挿入孔２４が構成される。
【００１０】
端子挿入口２３の開口形状は、縦長の方形をなし、端子収容部１２の内周には、開口縁のうち上縁と右縁とが連なる直角な角隅部から内側へ張り出した形態の規制部２５が形成されている。前後方向における規制部２５の形成領域は、背面壁２１の前面（一括ゴム栓１４を押圧している面）から、背面壁２１の後面よりも少し前方の位置に亘る範囲である。つまり、規制部２５の前面は背面壁２１の前面に対して面一状に連なり、規制部２５の後面は背面壁２１の後面に対して段差状に奥まった形態となっている。また、背面側から視たときの規制部２５の形状は、概ね三角形であるが、上縁及び右縁に対して斜めをなす斜辺２５ａは、右上方へ僅かに凹んだ形態の弧状をなしている。
【００１１】
端子金具３０は、金属板材を曲げ加工したものであり、端子金具３０の略前半部分は角筒部３１となっており、略後半部分はオープンバレル状の電線圧着部３２となっている。電線圧着部３２には、電線３３の前端部が圧着により導通可能に接続されている。  
角筒部３１は、上面壁３４（本発明の構成要件である壁部）と、上面壁３４の左端縁から略直角に下方へ延出する左側壁３５（本発明の構成要件である壁部）と、左側壁３５の下端縁から略直角に右方へ延出する下面壁３６（本発明の構成要件である壁部）と、下面壁３６の右端縁から略直角に上方へ延出する右側壁３７（本発明の構成要件である壁部）とから構成されている。上面壁３４と左側壁３５と下面壁３６と右側壁３７は、概ね正方形の筒形を構成する。詳しくは、上面壁３４と左側壁３５は四半円弧形に曲げ成形された第１曲げ部３８によって連なり、左側壁３５と下面壁３６は四半円弧形に曲げ成形された第２曲げ部３９によって連なり、下面壁３６と右側面は四半円弧形に曲げ成形された第３曲げ部４０によって連なっている。この３つの曲げ部３８，３９，４０のうち第２曲げ部３９は、上記した規制部２５と干渉可能な角縁部４１となっている。
【００１２】
角筒部３１には、右側壁３７の上端縁から略直角に左方へ延出する重ね壁４２と、重ね壁４２の左端縁を上方へ屈曲させた形態の位置決め部４３とが形成されている。右側壁３７と重ね壁４２は四半円弧形に曲げ成形された第４曲げ部４４によって連なっている。また、重ね壁４２は、上面壁３４の上面（外面）のうち略右半分領域に対して重ね合わせられている。位置決め部４３は、重ね壁４２の左端縁から上方へ延出し、その延出端縁から左方へ上面壁３４と略平行に延出し、その延出端縁から下方へ延出してその延出端面を上面壁３４の左端縁に対向させた形態である。位置決め部４３は、左右方向において上面壁３４の略左半分領域と対応するように配置され、左右方向において、位置決め部４３の左側面は左側壁３５の外面とほぼ同じ位置に配置されている。また、位置決め部４３の前端面は、上面壁３４、左側壁３５、下面壁３６、右側壁３７及び重ね壁４２の前端面に対して面一状に連なっている。
【００１３】
下面壁３６の下面から位置決め部４３の上端面までの上下寸法（角筒部３１と位置決め部４３とを合わせた上下寸法）は、端子挿入口２３の上下寸法に対し、端子金具３０を端子挿入口２３に円滑に挿入させるためのクリアランス分だけ小さい寸法とされている。また、位置決め部４３を含む角筒部３１の左右寸法（幅寸法）は、端子挿入口２３の左右寸法に対し、端子金具３０を端子挿入口２３に円滑に挿入させるためのクリアランス分だけ小さい寸法とされている。
【００１４】
次に、本実施形態の作用を説明する。  
端子金具３０を正しい向きで端子挿入孔２４に挿入する際には、図３に示すように、位置決め部４３が角筒部３１の左側に位置するので、端子挿入口２３の右側に配置されている規制部２５に位置決め部４３が当たることはない。また、位置決め部４３の上端面が端子挿入口２３の内周における上面に当接することにより、角筒部３１は、上下方向において下面壁３６を端子挿入口２３の下面に当接させる非干渉位置に位置決めされるので、角筒部３１の右上に位置する第４曲げ部４４は、規制部２５とは干渉せず、規制部２５に対して斜め左下方に離間した位置に配置される。このように規制部２５に対しては、角筒部３１も位置決め部４３も干渉しないので、端子金具３０を円滑に端子挿入孔２４内に挿入することができる。
【００１５】
これに対し、端子金具３０が上下反転された不正な向きで端子挿入口２３に挿入されたときには、角筒部３１と位置決め部４３が僅かに端子挿入口２３内に進入したところで、角縁部４１（第２曲げ部３９）が規制部２５に突き当たる。即ち、図４に示すように、位置決め部４３は、端子挿入口２３の内周下面に当接することにより、角筒部３１は非干渉位置よりも上方の干渉位置に嵩上げされた状態で位置決めされる。このとき、角筒部３１の下面壁３６が、端子挿入口２３の内周上面に当接するように端子挿入口２３内の最も高い位置にあるので、第４曲げ部４４と対角線上に配置されている角縁部４１は、端子挿入口２３の右上端部に位置することになり、その結果、角縁部４１は規制部２５と干渉するのである。また、位置決め部４３は、角筒部３１よりも下方に位置するので、規制部２５と干渉することはない。そして、この角縁部４１と規制部２５との干渉により、それ以上の端子金具３０の挿入動作が阻止され、これにより、上下反転した不正な姿勢での端子金具３０の挿入が規制される。
【００１６】
上述のように本実施形態においては、端子挿入孔２４の方形断面の後端部（端子挿入口２３）に、その内周の４つの角隅部のうち右上に位置する角隅部において内側へ張り出す形態の規制部２５を形成し、端子金具３０の角筒部３１には、角筒部３１を構成する４つの壁部のうち上面壁３４の外面から突出する形態の位置決め部４３を形成しており、端子金具３０が上下反転した不正な向きで挿入される過程では、位置決め部４３が端子挿入孔２４の後端部（端子挿入口２３）の内周に当接することにより、角筒部３１が干渉位置に位置決めされ、角筒部３１を構成する角縁部４１の前端が規制部２５に突き当たるようにしている。この規制部２５に突き当たる角縁部４１は、角筒部３１を構成するものであって、角筒部３１から片持ち状に突出するものに比べて強度が高いので、規制部２５と干渉しても変形や破損を来すおそれはない。
【００１７】
また、角筒部３１は、金属板材を略直角に曲げ加工することにより、４つの壁部（上面壁３４、左側壁３５、下面壁３６及び右側壁３７）を３つの曲げ部３８，３９，４０で連結した形態とされており、３つの曲げ部３８，３９，４０のうち左下に位置する第２曲げ部３９を、角筒部３１における規制部２５との干渉対象である角縁部４１としている。このように規制部２５と干渉する角縁部４１を、２つの壁部（左側壁３５と下面壁３６）を直角に連結している第２曲げ部３９で構成しているので、金属板材の端縁部（自由端縁）を規制部２５に干渉させる形態のものに比べると、角縁部４１の強度は高くなっている。したがって、角縁部４１の変形がより確実に防止されている。
【００１８】
＜他の実施形態＞
本発明は上記記述及び図面によって説明した実施形態に限定されるものではなく、例えば次のような実施態様も本発明の技術的範囲に含まれる。  
（１）角部は、金属板材の端縁部を突き当てた形態であってもよい。  
（２）規制部は、円弧形に限らず、三角形や方形であってもよい。  
（３）本発明は、角筒部の前端からタブを突出させた雌形の端子金具にも適用できる。  
（４）ハウジングは、ハウジング本体にリヤホルダを組み付けて構成されるものに限らず、単一部品のものであってもよい。  
（５）位置決め部を左右方向における中央のみに配置し、規制部を左右両端の２カ所に配置してもよい。
【図面の簡単な説明】
【００１９】
【図１】実施形態１の断面図
【図２】リヤホルダの背面図
【図３】端子金具が正しい向きで挿入されている様子をあらわす部分拡大背面図
【図４】端子金具が上下反転した不正な向きで挿入されている様子をあらわす部分拡大背面図
【符号の説明】
【００２０】
１０…ハウジング
２４…端子挿入孔
２５…規制部
３０…端子金具
３１…角筒部
３４…上面壁（壁部）
３５…左側壁（壁部）
３６…下面壁（壁部）
３７…右側壁（壁部）
３８…第１曲げ部
３９…第２曲げ部
４０…第３曲げ部
４１…角縁部
４３…位置決め部
【図１】
2008293722.tif 000003
【図２】
2008293722.tif 000004
【図３】
2008293722.tif 000005
【図４】
2008293722.tif 000006